(57)【要約】      （修正有）【課題】携帯電話の通信用制御に加え、クレジット機能などの機能を実現するＳＩＭカードを提供する。【解決手段】ＳＩＭカードは携帯電話の通信用データを保存するＳＩＭカード記憶部１４１と個人情報などの秘密情報を記憶するセキュリティ記憶部１４５とを備え、携帯端末装置本体１１０またはリーダライタ装置から送信される電文に含まれるコードに基づいて、返信に必要なデータがＳＩＭカード記憶部１４１に保存されているのか、セキュリティ記憶部１４５に保存されているのかを判断する。【選択図】図２
2010020513.tif 000002
【特許請求の範囲】
【請求項１】
携帯端末に内蔵して設置されるＳＩＭカードであって、
前記携帯端末と電気的に接続するための携帯端末接続部と、
個人情報などの秘密情報を記憶するセキュリティ記憶部と、
前記セキュリティ記憶部に記憶される情報以外の情報を記憶するＳＩＭカード記憶部と、リーダライタ装置と無線通信により接続する近距離無線送受信部と、
前記携帯端末接続部または前記近距離無線送受信部から受信される電文に含まれる該電文の種類を示すコードに基づいて、取得する情報が前記セキュリティ記憶部に記憶されているのか前記ＳＩＭカード記憶部に記憶されているのかを判断する制御部と、
を備えるＳＩＭカード。
【請求項２】
請求項１記載のＳＩＭカードを搭載する携帯端末。
【請求項３】
請求項１記載のＳＩＭカードと無線通信を行うリーダライタ装置。
【発明の詳細な説明】
【技術分野】
【０００１】
本発明は、無線通信機能を有するＳＩＭカードと、そのＳＩＭカードを搭載する携帯端末装置及び、そのＳＩＭカードを介して無線通信を行うリーダライタ装置に関するものである。
【背景技術】
【０００２】
近年、携帯電話に代表される携帯端末装置には、ＳＩＭ（Ｓｕｂｓｃｒｉｂｅｒ  Ｉｄｅｎｔｉｔｙ  Ｍｏｄｕｌｅｃａｒｄ）カードを挿抜可能なものがある。携帯端末装置は、ＳＩＭカードに備わるＳＩＭチップに物理的に接触しており、その接触箇所を介してＳＩＭチップへのデータの書き込み処理、またはＳＩＭチップからのデータの読み取り処理を実施する。
【０００３】
さらに、特許文献１には、ＲＦ−ＩＤ（Ｒａｄｉｏ  Ｆｒｅｑｕｅｎｃｙ  Ｉｄｅｎｔｉｆｉｃａｔｉｏｎ）タグをさらに備えたＳＩＭカードを挿抜可能な携帯端末装置について開示されている。ＲＦ−ＩＤタグは、ＳＩＭチップへのデータの書き込み処理、またはＳＩＭチップからのデータの読み取り処理を行って、ＲＦ−ＩＤリーダ／ライタとの間で無線通信を実施する。
【特許文献１】特表２００７−５０７７６６号公報
【発明の開示】
【発明が解決しようとする課題】
【０００４】
しかしながら、ＳＩＭカードは従来携帯電話無線通信に必要なＩＤデータ等を保存しているメモリがあり、これは携帯電話運営会社の開示できない内容が含まれている。しかし、ＳＩＭカードに内蔵されている近距離通信等の無線を用いて決済等処理を実施する場合、従来の携帯電話無線ＩＤデータ以外に、銀行口座データやクレジット番号などのデータが必要になり、これも携帯電話ＩＤデータと同様に情報公開ができない内容なので、従来の携帯電話用ＩＤデータ等記憶しているメモリ以外の別の決済処理用のメモリが必要になる。そして、ＳＩＭカードに搭載されているマイコンに、これらの複数のメモリを制御できる機能を備えさせる必要がある。さらに、携帯電話マイコンからの送信信号により、別々のメモリに記憶されている従来の携帯電話ＩＤデータあるいは、決済処理用クレジット番号等が要求された場合や、近距離無線通信が受信した信号により、前記ＩＤデータやクレジット番号が要求された場合に、それぞれの送信信号で要求されたデータを返信する必要があるが、従来ＳＩＭカードに搭載されているマイコンではこのような機能はないので、これらの機能を実施することはできない。
【０００５】
本発明は、上記事情に鑑みてなされたもので、ＳＩＭカードに搭載されているマイコンに、従来携帯電話無線通信に必要なＩＤデータ等を保存しているメモリと、近距離通信等の無線を用いて決済等処理を実施する場合に必要な銀行口座データやクレジット番号などのデータを保存しているメモリの複数のメモリを制御可能にし、携帯電話マイコンからの送信信号により、別々のメモリに記憶されている従来の携帯電話ＩＤデータあるいは、決済処理用クレジット番号等が要求された場合や、近距離無線通信が受信した信号により、前記ＩＤデータやクレジット番号が要求された場合に、それぞれの送信信号で要求されたデータを返信する機能を備えさせることで、ＳＩＭカード上に搭載された、近距離無線機能を使用して、決済処理等の従来の携帯電話無線通信以外の機能を実施することができる。
【０００６】
つまり、携帯端末装置に挿抜可能であり、さらに無線通信機能を備えるＳＩＭカードで
あって、従来のＳＩＭカードの動作に必要なデータが記憶されている記憶部に加え、追加された機能である無線通信機能に必要なデータが記憶されているセキュリティ記憶部を持ち、これらの記憶部とセキュリティ記憶部を一つのマイコン（制御部）で制御することができるＳＩＭカードを提供することを目的とする。
【課題を解決するための手段】
【０００７】
前記従来の課題を解決するために、本発明のＳＩＭカードは、携帯端末と電気的に接続するための携帯端末接続部と、個人情報などの秘密情報を記憶するセキュリティ記憶部と、セキュリティ記憶部に記憶される情報以外の情報を記憶するＳＩＭカード記憶部と、リーダライタ装置と無線通信により接続する近距離無線送受信部と、携帯端末接続部または近距離無線送受信部から受信される電文に含まれる該電文の種類を示すコードに基づいて、取得する情報がセキュリティ記憶部に記憶されているのかＳＩＭカード記憶部に記憶されているのかを判断する制御部とを備えるものである。
【０００８】
これによれば、従来の携帯端末の通信に必要であった携帯端末所持者のデータ、携帯端末機器のデータ、携帯端末が接続されている通信網のデータだけでなく、追加された近距離通信機能に必要な、携帯端末所持者の銀行口座に関するデータ、クレジット会社に関するデータ、クレジット使用状態に関するデータ等のデータをそれぞれ必要な携帯端末携帯電話通信および、追加された近距離無線通信も使用できる。
【０００９】
また、ＳＩＭカード制御部がどちらの記憶部のデータが必要かを容易に判断することができ、制御スピードの向上を図ることができる。
【発明の効果】
【００１０】
本発明のＳＩＭカードは、携帯端末接続部または近距離無線送受信部から受信される電文に含まれる該電文の種類を示すコードに基づいて、取得する情報がセキュリティ記憶部に記憶されているのかＳＩＭカード記憶部に記憶されているのかを判断するので、携帯端末が接続されている通信網のデータだけでなく、追加された近距離通信機能に必要な、携帯端末所持者の銀行口座に関するデータ、クレジット会社に関するデータ、クレジット使用状態に関するデータ等のデータをそれぞれ必要な携帯端末携帯電話通信および、追加された近距離無線通信も使用できる。
【発明を実施するための最良の形態】
【００１１】
第１の発明は、携帯端末と電気的に接続するための携帯端末接続部と、個人情報などの秘密情報を記憶するセキュリティ記憶部と、セキュリティ記憶部に記憶される情報以外の情報を記憶するＳＩＭカード記憶部と、リーダライタ装置と無線通信により接続する近距離無線送受信部と、携帯端末接続部または近距離無線送受信部から受信される電文に含まれる該電文の種類を示すコードに基づいて、取得する情報がセキュリティ記憶部に記憶されているのかＳＩＭカード記憶部に記憶されているのかを判断する制御部とを備えるものである。
【００１２】
これによれば、追加された近距離無線通信部を機能させることができる。
【００１３】
第２の発明は、第１の発明におけるＳＩＭカードを搭載した携帯端末であるので、追加された近距離無線通信部を機能させることができる。
【００１４】
また、第２の発明は、第１の発明におけるＳＩＭカードと無線通信を行うリーダライタ装置であるので、追加された近距離無線通信部を機能させることができる。
【００１５】
以下、本発明の実施の形態について、図面を参照しながら説明する。なお、この実施の
形態によって本発明が限定されるものではない。
【００１６】
（実施の形態１）
図１は、本発明の実施の形態の携帯端末装置の斜視図を示すものである。図１に示す携帯端末装置は、ディスプレイ、操作キーなどを筐体表面に、回路基板を筐体内部にそれぞれ備える携帯端末装置本体１１０と、携帯端末装置本体１１９の回路基板に電力を供給するバッテリ１１１と、バッテリ１１１を保護するカバー１１２とから構成される。
【００１７】
携帯端末装置本体１１０は、ＳＩＭカード１２０が筐体内部に挿入される構造である。ＳＩＭカード１２０は、バッテリ１１１、カバー１１２の順に覆いかぶさって携帯端末装置本体１１１内に格納される。
【００１８】
また、ＳＩＭカード１２０は、ＳＩＭチップ１２１、無線回路１２２を含んで構成される。ＳＩＭカード１２０の表面には、露出するようにしてＳＩＭチップ１２１が設けられている。携帯端末装置本体１１０には、ＳＩＭチップ１２１の導体板に接触する接続端子が設けられており、携帯端末装置本体１１０とＳＩＭカード１２０とはその接続端子を介して信号の送受信を行う。
【００１９】
本発明の実施の形態の携帯端末装置は、図１に示す構造に限られるものではなく、ＳＩＭカードを挿抜可能な様々な構造を有する携帯端末装置に適用可能である。ＳＩＭカードを挿抜可能な構造やＳＩＭカード近辺の構造、材質が異なる様々な携帯端末装置にあるＳＩＭカードを挿入する場合、ＳＩＭカードに備わる無線回路の電波環境も異なるが、本発明の実施の形態の携帯端末装置は、この電波環境に適した、無線通信を行うために当該無線回路が最低限必要とする受信強度の閾値または信号を送信するときの送信出力を設定することを実現する。
【００２０】
次に、本発明の実施の形態の携帯端末装置及びＳＩＭカードの機能ブロックを図２に示す。携帯端末装置本体１１０は、セルラー送受信部１３１、携帯端末記憶部１３２、ＳＩＭカード接続部１３３、携帯端末制御部１３４を含んで構成される。
【００２１】
セルラー送受信部１３１は、無線基地局（図２に図示せず）との間で取り決められた所定の通信方式に則って、デジタルデータの送受信を行う。
【００２２】
携帯端末記憶部１３２は、携帯端末制御部１３４が実行するプログラムや、そのプログラムを実行することによって生じる演算結果、ＳＩＭカード接続部１３３を介してＳＩＭカード１２０から入力したデータなどの各種データを記憶する。
【００２３】
ＳＩＭカード接続部１３３は、上述した、携帯端末装置本体１１０に設けられたＳＩＭカード１２０との接続端子に相当し、ＳＩＭカード１２０との間で信号の入出力を行う。
【００２４】
携帯端末制御部１３４は、携帯端末記憶部１３２に記憶されている各種プログラムを参照して、セルラー送受信部１３１による無線通信制御、ＳＩＭカード１２０との間でのデータの入出力制御、携帯端末記憶部１３２へのデータの書き込み、読み取り制御、などの各種制御を実行する。
【００２５】
一方、ＳＩＭカード１２０は、ＳＩＭカード記憶部１４１、携帯端末接続部１４２、ＳＩＭカード制御部１４３、近距離無線送受信部１４４、セキュリティ記憶部１４５を含んで構成される。
【００２６】
ＳＩＭカード記憶部１４１は、ＳＩＭカード制御部１４３が実行するプログラムや、そ
のプログラムを実行することによって生じる演算結果、携帯端末接続部１４２を介して携帯端末装置本体１１０から入力したデータなどの各種データを記憶する。
【００２７】
携帯端末接続部１４２は、上述した、ＳＩＭカード１２０の表面に露出するＳＩＭチップ１２１の導体板に相当し、携帯端末装置本体１１０との間で信号の入出力を行う。
【００２８】
ＳＩＭカード制御部１４３は、ＳＩＭカード記憶部１４１やセキュリティ記憶部１４５に記憶されている各種プログラムを参照して、近距離無線送受信部１４４による無線通信制御、携帯端末装置本体１１０との間でのデータの入出力制御、ＳＩＭカード記憶部１４１へのデータの書き込み、読み取り制御、などの各種制御を実行する。また、近距離無線送受信部１４４により受信される信号の受信強度値を検出する。
【００２９】
近距離無線送受信部１４４は、無線回路１２２に相当する。近距離無線送受信部１４４は、無線回路１２２に形成されるアンテナを介して、４００ＭＨｚ帯特定小電力無線、ＲＦＩＤ（Ｒａｄｉｏ  Ｆｒｅｑｕｅｎｃｙ  Ｉｄｅｎｔｉｆｉｃａｔｉｏｎ：無線周波数識別）で使用される短距離通信用の電波やＵＷＢ（Ｕｌｔｒａ  Ｗｉｄｅ  Ｂａｎｄ：超広帯域無線）等の電波を介して信号の送受信を行う。
【００３０】
セキュリティ記憶部１４５は、携帯端末装置とリーダライタ装置との間で、例えば決済処理等を行う場合に必要となる情報を記憶している。具体的には、銀行が運用する決済処理用ネットワークに接続するためのパスワードや、決済に関する個人情報などが記憶されている。このような決済処理を行うための情報はＳＩＭカード記憶部１４１に記憶することも可能であるが、ＳＩＭカード記憶部１４１とは別に記憶することで、重要な情報を安易に書き換えることがなく、また消去することもない。
【００３１】
次に、リーダライタ装置の機能ブロックを図３に示す。
【００３２】
リーダライタ装置１５０は、近距離無線送受信部１５１、リーダライタ制御部１５２、リーダライタ記憶部１５３、外部通信部１５４を含んで構成される。
【００３３】
近距離無線送受信部１５１は無線回路（図示せず）に形成されるアンテナを介して、近距離無線送受信部１４４と信号の送受信を行う。これらのアンテナは無線回路上に複数構成されており、それぞれのアンテナは無線回路上の異なる位置に形成されている。
【００３４】
リーダライタ制御部１５２は、近距離無線送受信部１５１から入力される信号に対し何らかの処理を実行する。例えば、ＳＩＭカード１２０に書き込ませるデータをリーダライタ記憶部１５３から読み出し、その読み出した信号を近距離無線送受信部１５１や外部通信部１５４に出力する。また、近距離無線送受信部１５１により受信される信号の受信強度値を検出する。
【００３５】
外部通信部１５４は、インターネットなどの外部通信網と接続することで外部サーバと接続できる。例えば、決済処理を行う場合、ＳＩＭカード１２０からの要求信号に応じて外部通信部１５４を介して銀行やカード会社が運営する決済処理用ネットワークに接続し、銀行やカード会社が保有するサーバと通信を行う。
【００３６】
次に、ＳＩＭカード１２０と携帯端末装置本体１１０とがＳＩＭカード記憶部１４１とセキュリティ記憶部１４５に保存されているデータを参照するための処理の流れを図４に示す。なお、図４に示す処理を行うためには、ＳＩＭカード接続部１３３と携帯端末接続部１４２が物理的に接続されている必要がある。
【００３７】
携帯端末装置本体１１０からＳＩＭカード１２０へ、携帯電話所有者のＩＤ番号等の記憶データを要求する時は、携帯端末装置本体１１０の携帯端末制御部１３４からＳＩＭカード接続部１３３及び携帯端末接続部１４２を介して、ＳＩＭカード制御部１４３へ記憶部データ要求電文を伝送する。
【００３８】
そして、ＳＩＭカード制御部１４３が記憶部データ要求電文を受信すると、ＳＩＭカード記憶部１４１から必要なデータを読み取り、携帯端末接続部１４２及びＳＩＭカード接続部１３３を介して携帯端末制御部１３４へ伝送される。
【００３９】
一方、携帯端末装置本体１１０からＳＩＭカード１２０へ、携帯電話所有者のクレジット番号等の記憶データを要求する時は、携帯端末制御部１３４からＳＩＭカード接続部１３３及び携帯端末接続部１４２を介して、ＳＩＭカード制御部１４３へ記憶部データ要求電文を送信する。そして、ＳＩＭカード制御部１４３が記憶部データ要求電文を受信すると、セキュリティ記憶部１４５から必要なデータを読み取り、携帯端末接続部１４２及びＳＩＭカード接続部１３３を介して携帯端末制御部１３４へ伝送される。
【００４０】
次に、ＳＩＭカード１２０とリーダライタ装置１５０とがＳＩＭカード記憶部１４１とセキュリティ記憶部１４５に保存されているデータを参照するための無線送受信の流れを図５に示す。なお、図５に示す送受信を行うためには、近距離無線通信部１５１とＳＩＭカード近距離無線通信部１４４の距離が物理的に通信可能な範囲にある必要がある。
【００４１】
リーダライタ装置１５０からＳＩＭカード１２０へ、携帯電話所有者のクレジットカード番号等のセキュリティ記憶データを要求する時は、リーダライタ装置１５０のリーダライタ制御部１５２は通信開始コマンドを生成し、近距離無線通信部１５１及び近距離無線通信部１４４を介して、ＳＩＭカード制御部１４３へ通信開始コマンドを送信する。
【００４２】
そして、ＳＩＭカード制御部１４３に電文が届くと、近距離無線通信部１４４及び近距離無線通信部１５１を介してリーダライタ制御部１５２へ通信開始コマンドを返信する。
【００４３】
次に、リーダライタ制御部１５２はセキュリティ記憶部データ要求コマンドを生成し、近距離無線通信部１５１及び近距離無線通信部１４４を介して、ＳＩＭカード制御部１４３へセキュリティ記憶部データ要求コマンドを送信する。
【００４４】
そして、ＳＩＭカード制御部１４３は、セキュリティ記憶部データ要求コマンドが届くとセキュリティ記憶部１４５から必要なデータを読み取り、近距離無線通信部１４４及び近距離無線通信部１５１を介してリーダライタ制御部１５２へセキュリティ記憶データが送信される。
【００４５】
次に、引き続きリーダライタ装置１５０からＳＩＭカード１２０へ、携帯電話所有者のＩＤ番号等の記憶データを要求する時は、リーダライタ装置１５０の近距離無線通信部１５１及び近距離無線通信部１４４を介して、ＳＩＭカード制御部１４３へ記憶部データ要求コマンドを送信する。そして、ＳＩＭカード制御部１４３に電文が届くと、ＳＩＭカード記憶部１４１から必要なデータを読み取り、近距離無線通信部１４４及び近距離無線通信部１５１を通してリーダライタ制御部１５２へ記憶部データが送信される。
【００４６】
このような一連の処理によれば、決済処理を行う場合であっても、外部通信部１５４を介して個人を特定できる識別番号とパスワードにより、銀行やカード会社が運営する決済処理用サーバにログインすることができる。
【００４７】
次に、通信電文（セキュリティ記憶部データ要求電文、記憶部データ要求電文等）のフ
レーム構成を図６に示す。通信電文は、ＨＤ（ヘッダ）部、ＣＣ（コマンドコード）部、ＤＡＴＡ（データ）部から構成される。ＨＤ部は、通信電文の送信主体となる機器のアドレスと、通信電文の送信先となる機器のアドレスを示している。ＣＣ部は、ＤＡＴＡ部のデータ内容を指定するコードである。ＤＡＴＡ部は、ＣＣ部により指定されるデータである。
【００４８】
通信電文のフレームを図６のようにすることで、ＳＩＭカード制御部１４３は、携帯端末装置本体１１０あるいはリーダライタ装置１５０からの要求コマンドに対して、ＳＩＭカード記憶部１４１に記憶されたデータが必要であるのか、セキュリティ記憶部１４５に記憶されたデータが必要であるのかが判別できる。具体的には、図４に示す記憶部データ要求電文や、図５の記憶部データ要求電文を受信したＳＩＭカード制御部１４３は電文のＣＣ部に基づいて、返信に必要なデータがＳＩＭカード記憶部１４１に記憶されていることを知ることができる。同様に、図４に示すセキュリティ記憶部データ要求電文や、図５のセキュリティ記憶部データ要求電文を受信したＳＩＭカード制御部１４３は電文のＣＣ部に基づいて、返信に必要なデータがセキュリティ記憶部１４５に記憶されていることを知ることができる。つまり、ＳＩＭカード制御部１４３は、必要なデータがＳＩＭカード記憶部１４１に保存されているのか、セキュリティ記憶部１４５に保存されているのかを、ＣＣ部に示すコードに基づいて判断することができるので、その結果として通信時間の短縮を図ることができる。
【産業上の利用可能性】
【００４９】
以上のように、本発明にかかるＳＩＭカードは、携帯端末装置あるいはリーダライタ装置から要求された、ＳＩＭカードの記憶部、あるいはセキュリティ記憶部に記憶されたデータをそれぞれ要求されたところに送信することができる。また、通信電文のコマンドコードで、データ要求方法を規定することで、記憶部あるいはセキュリティ記憶部のデータ取得をスムーズに実施することができる。
【図面の簡単な説明】
【００５０】
【図１】本発明の実施の形態の携帯端末装置の斜視図
【図２】本発明の実施の形態の携帯端末装置及びＳＩＭカードの機能ブロック図
【図３】本発明の実施の形態のリーダライタ装置の機能ブロック図
【図４】本発明の実施の形態の携帯端末装置がＳＩＭカードのＳＩＭカード記憶部、セキュリティ記憶部のデータを取得する場合のシーケンス図
【図５】本発明の実施の形態のリーダライタ装置がＳＩＭカードのＳＩＭカード記憶部、セキュリティ記憶部のデータを取得する場合のシーケンス図
【図６】本発明の実施の形態の携帯端末装置、ＳＩＭカード、リーダライタ装置間で使用する通信電文の構成図
【符号の説明】
【００５１】
１１０  携帯端末装置本体
１１１  バッテリ
１１２  カバー
１２０  ＳＩＭカード
１２１  ＳＩＭチップ
１２２  無線回路
１３１  セルラー送受信部
１３２  記憶部
１３３  ＳＩＭカード接続部
１３４  携帯端末制御部
１４１  ＳＩＭカード記憶部
１４２  携帯端末接続部
１４３  ＳＩＭカード制御部
１４４  ＳＩＭカード近距離無線通信部
１４５  セキュリティ記憶部
１５０  リーダライタ装置
１５１  近距離無線通信部
１５２  リーダライタ制御部
１５３  リーダライタ記憶部
１５４  外部通信部
【図２】
2010020513.tif 000003
【図３】
2010020513.tif 000004
【図４】
2010020513.tif 000005
【図５】
2010020513.tif 000006
【図６】
2010020513.tif 000007
【図１】
2010020513.tif 000008